(57)【要約】      （修正有）【課題】タッチパネルを備える機器の入力装置として機能するタッチペンであって、機器とストラップ紐で結ばれることにより紛失を防止し、機器とストラップ紐で結ばれた状態で、機器に完全に格納することのできるタッチペンを提供する。【解決手段】タッチパネルを備える機器に格納可能な棒状の本体を備え、タッチパネルに接触させることにより入力装置として機能するタッチペンであって、本体の上端部において本体の径方向に沿って形成された孔１ｃと、本体の上端から本体の軸線方向に沿って形成され、下端が孔１ｃに連通するストラップホール１ｄとを有し、ストラップホール１ｄの直径ｄ２は、孔１ｃの直径ｄ１よりも小さい。【選択図】図２
0003135409.tif 000002
【実用新案登録請求の範囲】
【請求項１】
タッチパネルを備える機器に格納可能な棒状の本体を備え、前記タッチパネルに接触させることにより入力装置として機能するタッチペンであって、
前記本体の上端部において該本体の径方向に沿って形成された孔と、
前記本体の上端から該本体の軸線方向に沿って形成され、下端が前記孔に連通するストラップホールとを有し、
前記ストラップホールの直径は、前記孔の直径よりも小さいことを特徴とするタッチペン。
【請求項２】
前記孔は、貫通孔であることを特徴とする請求項１に記載されたタッチペン。
【請求項３】
前記孔が貫通孔の場合、前記本体は、ステンレス鋼により形成され、
前記孔が貫通していない孔の場合、前記本体は、アルミニウム、真ちゅう、プラスチック、銅のいずれか、あるいは、それらいずれかの合金により形成されていることを特徴とする請求項１に記載されたタッチペン。
【考案の詳細な説明】
【技術分野】
【０００１】
本考案は、ＰＤＡ（携帯情報端末）等のタッチパネルを備える機器への情報入力に用いるタッチペンに関する。
【背景技術】
【０００２】
従来、ＰＤＡ（携帯情報端末）等のタッチパネルを備える機器に対し、情報入力、操作を行なうための入力装置として、タッチペン（スタイラスペンともいう）が用いられている。このタッチペンは通常、棒状の形状を有し、表示画面（タッチパネル）にその先端を接触させて座標指定を行ない、その座標に割り当てられた所定の動作を実行させるものである。
近年では、ＰＤＡと通話機能とを統合したスマートフォンの需要が増え、それらスマートフォンにおいても、入力手段としてタッチペンを採用しているものが多い。
【０００３】
図５に従来のスマートフォンの斜視図を示す。図５（ａ）に示すように、スマートフォン本体２００の上端面には、タッチペン２０１を格納するための挿入口２００ａが形成されている。図５（ｂ）に示すように、タッチペン２０１をスマートフォン本体２００に完全に格納した状態では、タッチペン２０１の上端２０１ａとスマートフォン本体２００の上端面とが略面一となる。このタッチペン２０１を取り出す際には、スマートフォン２００本体に設けられたイジェクトスイッチ等を操作することにより、タッチペン２０１の上端２０１ａを突出させ、突出したタッチペン上端部を指で摘んで取り出すことができる。
尚、ＰＤＡ等の機器本体に格納可能なタッチペン（スタイラスペン）については、特許文献１に記載されている。
【特許文献１】実用新案登録第３１１１１４１号公報
【考案の開示】
【考案が解決しようとする課題】
【０００４】
しかしながら、図５に示す従来のスマートフォン２００にあっては、タッチペン２０１を取り出すと、フォン本体と完全に分離するため、紛失し易いという課題があった。
この課題を解決するには、フォン本体にストラップ紐の一端部を取り付け、他端をタッチペン２０１ａの上端に取り付けることで、タッチペン２０１とフォン本体とがストラップ紐で結ばれ、タッチペン２０１の紛失を防ぐことができる。
しかしながら、タッチペン２０１の上端にストラップ紐の結び目があると、その結び目の突起によりタッチペン２０１がフォン本体内に完全に格納できないという別の課題があった。
【０００５】
本考案は、前記したような事情の下になされたものであり、タッチパネルを備える機器の入力装置として機能するタッチペンであって、前記機器とストラップ紐で結ばれることにより紛失を防止し、前記機器とストラップ紐で結ばれた状態で、前記機器に完全に格納することのできるタッチペンを提供することを目的とする。
【課題を解決するための手段】
【０００６】
前記した課題を解決するため、本考案に係るタッチペンは、タッチパネルを備える機器に格納可能な棒状の本体を備え、前記タッチパネルに接触させることにより入力装置として機能するタッチペンであって、前記本体の上端部において該本体の径方向に沿って形成された孔と、前記本体の上端から該本体の軸線方向に沿って形成され、下端が前記孔に連通するストラップホールとを有し、前記ストラップホールの直径は、前記孔の直径よりも小さいことに特徴を有する。
【０００７】
このように構成することにより、ストラップ紐を本体に取り付ける際、ストラップ紐の一端部をストラップホールから挿入し、前記孔から引き出して結び目を形成した後、ストラップ紐を引っ張ることにより、結び目を本体１内に係止させることができる。（前記結び目の大きさは、前記孔の直径よりも小さく、ストラップホールの直径よりも大きく形成する。）
即ち、ストラップ紐の一端部をタッチペンに取り付けるための結び目は本体内に収容され、ストラップ紐の一端部は本体の上端から引き出された状態となる。
したがって、タッチペンにストラップ紐を取り付けた状態で、タッチペンを完全に機器内に格納することができ、タッチペンの紛失も防止することができる。
【０００８】
尚、前記孔は、貫通孔であってもよいし、貫通していない孔であってもよいが、前記孔が貫通孔の場合、前記本体は、ステンレス鋼により形成され、前記孔が貫通していない孔の場合、前記本体は、アルミニウム、真ちゅう、プラスチック、銅のいずれか、あるいは、それらいずれかの合金により形成されていることが望ましい。
通常、タッチペンの軸径は細く形成されるため、前記孔が形成されている本体上端部の強度は他の部分に比べ弱い。しかしながら、前記孔が貫通しない孔である場合は、貫通孔である場合よりも本体上端部の強度を高くすることができる。
したがって、前記孔が貫通しない孔の場合には、本体の材質としてステンレス鋼よりも低強度の材料、即ち、前記した材料を用いることができる。
また、前記孔が貫通孔の場合には、前記本体をステンレス鋼で形成することで、十分な強度を維持でき、また、本体を手で握って操作する際に適度な重さを有することができ、さらに、めっき剥がれや錆が発生し難いという効果を得ることができる。
【考案の効果】
【０００９】
本考案によればタッチパネルを備える機器の入力装置として機能するタッチペンであって、前記機器とストラップ紐で結ばれることにより紛失を防止し、前記機器とストラップ紐で結ばれた状態で、前記機器に完全に格納することのできるタッチペンを得ることができる。
【考案を実施するための最良の形態】
【００１０】
以下、本考案の実施の形態を図面に基づき説明する。図１は本考案のタッチペンの斜視図である。図２は、ストラップ紐取り付け部分を示すタッチペンの一部拡大図である。
図１に示すように本考案に係るタッチペン１０は、棒状の本体１を備え、その先端１ａをＰＤＡ（携帯情報端末）やスマートフォン等の画面（タッチパネル）に接触させることにより入力装置として機能させ、情報入力や操作を行なうものである。
【００１１】
また、このタッチペン１０は、本体１を手で握って操作する際に適度な重さを有するように、全体がステンレス鋼により形成されている。また、本体１がステンレス鋼で形成されることにより、めっき剥がれや錆が発生し難いという効果を得ることができる。
尚、本体１のグリップ部１ｂには、複数の溝が形成されることにより滑り止め加工がなされている。
【００１２】
また、図１に、この本体１の上部エリアＡを拡大して示すように、本体１の上端部には該本体１の径方向に沿って貫通孔１ｃが形成されている。さらに本体１の上端には該本体１の軸線方向に沿って、ストラップホール１ｄが形成されている。
尚、このように本体１上端部に貫通孔１ｃとストラップホール１ｄとが形成されているため、本体１上端部の強度は他の部分に比べて弱くなるが、前記のように本体１の材質としてステンレス鋼が用いられることで、十分な強度が維持される。
【００１３】
図２（ａ）に示すように、ストラップホール１ｄはその下端から貫通孔１ｃに連通しており、ストラップホール１ｄの直径ｄ２は貫通孔１ｃの直径ｄ１よりも小さく形成されている。この構造は、ストラップ紐の一端部１１をタッチペン１０の本体１の上端に取り付けるための構造である。
【００１４】
より詳細に説明すると、ストラップ紐の一端部１１を本体１に取り付ける際、先ず、ストラップ紐の一端部１１をストラップホール１ｄから挿入し、その先端を貫通孔１ｃの左右いずれかに引き出す。
次いで貫通孔１ｃから引き出したストラップ紐の一端部１１に結び目１１ａを作る。尚、この結び目１１ａを形成する際、その大きさが、貫通孔１ｃの直径ｄ１よりも小さく、ストラップホール１ｄの直径ｄ２よりも大きくなるよう形成する。
【００１５】
結び目１１ａを作成後、本体１に対しストラップ本体を引っ張ると、ストラップ紐の一端部１１は、図２（ｂ）に示すように、その結び目１１ａがストラップホール１ｄの下端部１ｅ（ストラップホール１ｄと貫通孔１ｃとが連通する接続部）において係止し、取り付けが終了する。
このような取り付け方法によれば、ストラップ紐の一端部１１の結び目１１ａが本体１内に隠れた状態となり、ストラップ紐の一端部１１はタッチペン１０（本体１）の上端に形成されたストラップホール１ｄから引き出された状態となる。
【００１６】
図３は、前記の方法によりタッチペン１０にストラップ紐２０の一端部１１を取り付け、タッチペン１０をスマートフォン本体１００に格納する状態を示す斜視図である。ストラップ紐２０の他端１２は、スマートフォン本体１００に形成されたストラップホール（図示せず）に接続されている。
図３（ａ）に示すように、ストラップ紐２０が接続されたタッチペン１０は、スマートフォン本体１００の上面に形成された挿入口１００ａから挿入することができる。
【００１７】
前記したように、ストラップ紐２０の一端部１１はタッチペン１０の上端に形成されたストラップホール１ｄから引き出されているため、図３（ｂ）に示すように、タッチペン１０をスマートフォン本体１００に完全に格納することができる。
また、このようにタッチペン１０の上端からストラップ紐２０の一端部１１が引き出されているため、タッチペン１０が格納された状態からストラップ紐２０を引き出し方向に引っ張ることにより、容易にタッチペン１０を取り出すことができる。
【００１８】
以上の本発明に係る実施の形態によれば、ストラップ紐をタッチペン１０に取り付ける際、ストラップ紐の一端部１１をストラップホール１ｄから挿入し、貫通孔１ｃから引き出して結び目１１ａを形成した後、ストラップ紐を引っ張ることにより、結び目１１ａをタッチペン１０の本体１内に係止させることができる。
即ち、ストラップ紐の一端部１１をタッチペン１０に取り付けるための結び目１１ａは本体１内に収容され、ストラップ紐の一端部１１は本体１の上端から引き出された状態となる。
したがって、タッチペン１０にストラップ紐を取り付けた状態で、タッチペン１０を完全に機器（スマートフォン本体１００等）内に格納することができ、タッチペン１０の紛失も防止することができる。
【００１９】
尚、前記実施の形態においては、本体１の径方向に沿って形成する孔を貫通孔１ｃとしたが、本発明のタッチペンにおいては、それに限定されず、貫通孔ではなく貫通しない孔を形成した構造であってもよい。
即ち、その場合、図４（ａ）に示すように、本体１の径方向に沿って貫通しない孔１ｆを形成し、この孔１ｆにストラップホール１ｄが連通する構造となされる。
この場合においても、ストラップホール１ｄの直径ｄ２は孔１ｆの直径ｄ３よりも小さく形成される。
【００２０】
図４（ａ）の構造において、ストラップ紐の一端部１１を本体１に取り付ける際は、先ず、ストラップ紐の一端部１１をストラップホール１ｄに挿入し、その先端を孔１ｆから引き出す。
次いで孔１ｆから引き出したストラップ紐の一端部１１に結び目１１ａを作る。尚、この結び目１１ａを形成する際、その大きさが、孔１ｆの直径ｄ３よりも小さく、ストラップホール１ｄの直径ｄ２よりも大きくなるよう形成する。
【００２１】
結び目１１ａを作成後、本体１に対しストラップ本体を引っ張ると、ストラップ紐の一端部１１は、図４（ｂ）に示すように、その結び目１１ａがストラップホール１ｄの下端部１ｅ（ストラップホール１ｄと孔１ｆとが連通する接続部）において係止し、取り付けが終了する。
このような取り付け方法により、図４に示す構造においても、ストラップ紐の一端部１１の結び目１１ａが本体１内に隠れた状態となり、ストラップ紐の一端部１１がストラップホール１ｄから引き出された状態とすることができる。
【００２２】
尚、通常、タッチペンの軸径は細く形成されるため、前記孔１ｆが形成されている本体１上端部の強度は他の部分に比べ弱い。しかしながら、孔１ｆは貫通しないため、貫通孔である場合よりも本体１上端部の強度を高くすることができる。
したがって、貫通しない孔１ｆを形成する場合には、本体１の材質として、ステンレス鋼より低強度の材料、例えば、アルミニウム、真ちゅう、プラスチック、銅のいずれか、あるいは、それらいずれかの合金を用いることができる。
【産業上の利用可能性】
【００２３】
本考案は、ＰＤＡ（携帯情報端末）等のタッチパネルを備える機器に情報入力を行なうために用いるタッチペンに関するものであり、電子機器の製造業界において好適に利用され得る。
【図面の簡単な説明】
【００２４】
【図１】図１は本考案のタッチペンの斜視図である。
【図２】図２は、ストラップ紐取り付け部分を示すタッチペンの一部拡大図である。
【図３】図３は、本考案のタッチペンにストラップ紐の一端部を取り付け、タッチペンをスマートフォン本体に格納する状態を示す斜視図である。
【図４】図４は、ストラップ紐取り付け部分の他の形態を示すタッチペンの一部拡大図である。
【図５】図５は、従来のタッチペンをスマートフォン本体に格納する状態を示す図である。
【符号の説明】
【００２５】
１          本体
１ａ        先端
１ｂ        グリップ部
１ｃ        貫通孔（孔）
１ｄ        ストラップホール
１ｆ        孔
１０        タッチペン
１１        ストラップ紐の一端部
１１ａ      結び目
１２        ストラップ紐の他端部
１００      スマートフォン本体
【図１】
0003135409.tif 000003
【図２】
0003135409.tif 000004
【図３】
0003135409.tif 000005
【図４】
0003135409.tif 000006
【図５】
0003135409.tif 000007